(57)【要約】      （修正有）【課題】聴覚だけでなく、視覚的にも楽しむことができるスピーカーを提供する。【解決手段】多彩な光効果を実現可能な受動放射器付きスピーカーであって、スピーカー本体１と、スピーカー本体に設けられる受動放射器２と、を含む。受動放射器には、光透過部が設けられ、スピーカーは、スピーカー本体内に設けられ、受動放射器に光を照射して受動放射器の光透過部に光透過部に対応する光効果又はパターン効果を示す発光ユニット３と、スピーカー本体内に設けられ、一端が発光ユニットに電気的に接続され、他端が給電ポートに接続され、発光ユニットを駆動して光を発生させる駆動回路ユニットと、をさらに含む。【選択図】図２
0003232888.tif 000002
【実用新案登録請求の範囲】
【請求項１】
スピーカー本体（１）と、前記スピーカー本体（１）に設けられる受動放射器（２）とを含む、多彩な光効果を実現可能な受動放射器付きスピーカーであって、
前記受動放射器（２）には、光透過部が設けられ、
前記スピーカーは、
前記スピーカー本体（１）内に設けられ、前記受動放射器（２）に光を照射して前記受動放射器（２）の光透過部に前記光透過部に対応する光効果又はパターン効果を示すための発光ユニット（３）と、
前記スピーカー本体（１）内に設けられ、一端が前記発光ユニット（３）に電気的に接続され、他端が給電ポートに接続され、前記発光ユニット（３）を駆動して光を発生させるための駆動回路ユニット（４）と、をさらに含むことを特徴とする、多彩な光効果を実現可能な受動放射器付きスピーカー。
【請求項２】
前記発光ユニット（３）は、前記受動放射器（２）を照射するために着色光を放出できる色付きランプビーズであり、前記色付きランプビーズは、前記光透過部に多彩な光効果又は多彩なパターン効果を示すために使用される、ことを特徴とする、請求項１に記載の多彩な光効果を実現可能な受動放射器付きスピーカー。
【請求項３】
前記駆動回路ユニット（４）には、制御モジュールとオーディオ取得モジュールが設けられ、
前記オーディオ取得モジュールは、前記スピーカーのメインボードに接続するために使用され、前記スピーカーの使用中、前記オーディオ取得モジュールは、前記メインボードで再生されたオーディオ情報を取得し、且つ該オーディオ情報を前記制御モジュールに送信するために使用され、
前記制御モジュールは、前記オーディオ取得モジュールから送信されたオーディオ情報を受信し、且つ前記発光ユニット（３）が前記オーディオ情報のリズムに従って律動を生み出すように該オーディオ情報に応じて制御して、前記受動放射器（２）に音楽のリズムに合わせて律動する多彩な光効果を示すために使用される、ことを特徴とする、請求項２に記載の多彩な光効果を実現可能な受動放射器付きスピーカー。
【請求項４】
前記受動放射器（２）は、音楽のリズムに合わせて振幅の異なる振動を発生させることができ、前記スピーカーが音楽を再生すると、前記受動放射器（２）は、音楽に合わせて高速振動を発生させると同時に、前記発光ユニット（３）から放出された光は、前記光透過部を透過して放出し、且つ前記受動放射器（２）の高速振動の下で残像の重畳を生成して、立体的な動的光効果を示す、ことを特徴とする、請求項３に記載の多彩な光効果を実現可能な受動放射器付きスピーカー。
【請求項５】
前記駆動回路ユニット（４）には、制御モジュールと動作状態取得モジュールが設けられ、前記動作状態取得モジュールは、前記スピーカーのメインボードに接続するために使用され、前記スピーカーの使用中、前記動作状態取得モジュールは、前記メインボードの電力状態情報と動作モード状態情報を取得するために使用され、
前記制御モジュールは、前記動作状態取得モジュールから送信された状態情報を受信し、且つ前記発光ユニット（３）が異なる光効果と色を生成するように該状態情報に応じて制御して、該スピーカーの対応する状態情報を示すためにさらに使用される、ことを特徴とする、請求項２に記載の多彩な光効果を実現可能な受動放射器付きスピーカー。
【請求項６】
前記発光ユニット（３）は、前記駆動回路ユニット（４）に接続された低電力インジケータ、電力インジケータ及び動作モードインジケータを含み、
前記低電力インジケータ、電力インジケータ及び動作モードインジケータにより生成される光効果又は色は、前記色付きランプビーズとは異なり、且つ前記低電力インジケータ、電力インジケータ及び動作モードインジケータにより生成される光効果又は色は、異なる、ことを特徴とする、請求項５に記載の多彩な光効果を実現可能な受動放射器付きスピーカー。
【考案の詳細な説明】
【技術分野】
【０００１】
本考案は、スピーカーの技術分野に関し、特に多彩な光効果を実現可能な受動放射器付きスピーカーに関する。
【背景技術】
【０００２】
パッシブラジエーターとも呼ばれる受動放射器は、いずれのボイスコイル又は回路にも接続されておらず、アクティブスピーカーと組み合わせて使用され、スピーカーボックス内の空気に対するスピーカーの駆動により、受動的に発声し、それをスピーカーから放出された音波と重ね合わせて、低音表現を向上させる。受動放射器を備えたスピーカーは、現在の技術段階で製品の音質特性を向上させるための重要な装置であり、その利点は、スピーカーの体積をより小さくできることである。
【０００３】
生活水準の向上に伴い、人々は、音楽鑑賞をより追求するようになる。当然、スピーカーの機能に対する要求も高くなる。つまり、聴覚と視覚の２つの効果を統合するという目的を達成するために、スピーカーは、音楽の効果を忠実に反映できるだけでなく、多彩な音楽リズムの動的効果を見せることができ、それにより、芸術的な楽しみを人々に与える。
【０００４】
しかし、従来のスピーカーは、音楽リズムの動的点滅効果が欠如しており、その受動的な熱放射器は、単純な振動膜だけであり、構造形式が比較的シンプルであるため、スピーカーに対する人々のニーズを満たすことが困難である。従って、多彩な光効果を実現可能な受動放射器付きスピーカーを早急に開発する必要がある。
【考案の概要】
【考案が解決しようとする課題】
【０００５】
本考案の目的は、従来の技術の欠点と欠陥を鑑みて、多彩な光効果を実現可能な受動放射器付きスピーカーを提供することであり、該スピーカーを使用するユーザーは、聴覚だけでなく、視覚的な楽しみも楽しむことができるようになる。該スピーカーは、視覚効果が良く、ユーザー体験が良く、機能が多様であり、製品の体験が良く、製品の市場競争力が強いという利点がある。
【課題を解決するための手段】
【０００６】
上記の目的を達成するために、本考案が採用する技術的解決手段は、次のとおりである。多彩な光効果を実現可能な受動放射器付きスピーカーであって、スピーカー本体と、前記スピーカー本体に設けられる受動放射器を含み、前記受動放射器には、光透過部が設けられ、前記スピーカーは、前記スピーカー本体内に設けられ、前記受動放射器に光を照射して前記受動放射器の光透過部に前記光透過部に対応する光効果又はパターン効果を示すための発光ユニットと、前記スピーカー本体内に設けられ、一端が前記発光ユニットに電気的に接続され、他端が給電ポートに接続され、前記発光ユニットを駆動して光を発生させるための駆動回路ユニットと、をさらに含む。
【０００７】
前記発光ユニットは、前記受動放射器を照射するために着色光を放出できる色付きランプビーズであり、前記色付きランプビーズは、前記光透過部に多彩な光効果又は多彩なパターン効果を示すために使用される。
【０００８】
前記駆動回路ユニットには、制御モジュールとオーディオ取得モジュールが設けられ、前記オーディオ取得モジュールは、前記スピーカーのメインボードに接続するために使用され、前記スピーカーの使用中、前記オーディオ取得モジュールは、前記メインボードで再生されたオーディオ情報を取得し、且つ該オーディオ情報を前記制御モジュールに送信するために使用され、前記制御モジュールは、前記オーディオ取得モジュールから送信されたオーディオ情報を受信し、且つ前記発光ユニットが前記オーディオ情報のリズムに従って律動を生み出すように該オーディオ情報に応じて制御して、前記受動放射器に音楽のリズムに合わせて律動する多彩な光効果を示すために使用される。
【０００９】
前記受動放射器は、音楽のリズムに合わせて振幅の異なる振動を発生させることができる。前記スピーカーが音楽を再生すると、前記受動放射器は、音楽に合わせて高速振動を発生させると同時に、前記発光ユニットから放出された光は、前記光透過部を透過して放出し、且つ前記受動放射器の高速振動の下で残像の重畳を生成して、立体的な動的光効果を示す。
【００１０】
前記駆動回路ユニットには、制御モジュールと動作状態取得モジュールが設けられ、前記動作状態取得モジュールは、前記スピーカーのメインボードに接続するために使用され、前記スピーカーの使用中、前記動作状態取得モジュールは、前記メインボードの電力状態情報と動作モード状態情報を取得するために使用され、前記制御モジュールは、前記動作状態取得モジュールから送信された状態情報を受信し、且つ前記発光ユニットが異なる光効果と色を生成するように該状態情報に応じて制御して、該スピーカーの対応する状態情報を示すためにさらに使用される。
【００１１】
前記発光ユニットは、前記駆動回路ユニットに接続された低電力インジケータ、電力インジケータ及び動作モードインジケータを含み、前記低電力インジケータ、電力インジケータ及び動作モードインジケータにより生成される光効果又は色は、前記色付きランプビーズとは異なり、且つ前記低電力インジケータ、電力インジケータ及び動作モードインジケータにより生成される光効果又は色は、異なる。
【００１２】
上記技術的解決手段を採用すると、本考案は、以下の有益な効果を有する。スピーカーが音楽を再生するために使用される場合、駆動回路ユニットのオーディオ取得モジュールにより、スピーカーで再生される音楽のオーディオ情報を取得し、且つ取得された情報を制御モジュールに送信し、制御モジュールは、オーディオ情報に応じて色付きランプビーズが発光するように制御することにより、色付きランプビーズは、音律に合わせて多彩な光効果を発生させることができると同時に、受動放射器は、音楽に合わせて振幅の異なる振動を発生させることにより、受動放射器に照射された光は、その高速振動の下で残像の重畳を生成し、立体的な動的光効果を示し、さらにスピーカーを使用するユーザーは、聴覚だけでなく、視覚的にも楽しむことができるため、該スピーカーは、視覚効果が良く、ユーザー体験が良く、機能が多様であり、製品の体験が良く、製品の市場競争力が強いという利点がある。
【図面の簡単な説明】
【００１３】
本考案の実施例又は先行技術の技術的解決手段をより明確に説明するために、以下は、実施例又は先行技術の記述に使用する必要のある図面を簡単に紹介する。当然ながら、以下に記載する図面は、単に本考案の実施例の一例であって、当業者であれば、創造的な労力を要することなく、これらの図面に基づいて他の図面に想到しうる。
【図１】本考案の全体構造模式図である。
【図２】図１における切断線Ａ−Ａに沿った断面図である。
【考案を実施するための形態】
【００１４】
以下、図面を参照しながら本考案をさらに詳しく説明する。
【００１５】
この特定の実施例は、本考案の説明にすぎず、本考案は、これに限定されるものではない。本明細書を読んだ後、当業者は、必要に応じてこの実施例に対して進歩に寄与しない修正を行うことができるが、それらは、実用新案登録請求の範囲内であれば、すべて特許法により保護されるべきである。
【００１６】
図１〜２に示すように、この実施例は、スピーカー本体１と受動放射器２を含む、多彩な光効果を実現可能な受動放射器付きスピーカーに関する。
【００１７】
該受動放射器２は、アクティブスピーカーと組み合わせて使用され、スピーカー本体１内の空気に対するスピーカーの駆動による振動により、受動的に発声し、それによりそれをスピーカーから放出された音波と重ね合わせて、スピーカーの低音表現を向上させる。この実施例では、スピーカー本体１は、全体として円筒形であり、受動放射器２は、２つ設けられており、スピーカー本体１の軸方向の両端にそれぞれ位置している。
【００１８】
具体的には、図１〜２に示すように、受動放射器２には、光透過部が設けられ、スピーカーは、発光ユニット３と駆動回路ユニット４をさらに含む。
【００１９】
発光ユニット３は、スピーカー本体１内に設けられ、且つ発光ユニット３は、受動放射器２に光を照射するために使用され、それにより受動放射器２の光透過部は、光透過部に対応する光効果又はパターン効果を示す。駆動回路ユニット４は、スピーカー本体１内に設けられ、駆動回路ユニット４は、一端が発光ユニット３に電気的に接続され、他端が給電ポートに接続され、駆動回路ユニット４は、発光ユニット３を駆動して光を発生させるために使用される。
【００２０】
好ましくは、図１〜２に示すように、発光ユニット３は、受動放射器２を照射するために着色光を放出できる色付きランプビーズであり、該色付きランプビーズは、光透過部に多彩な光効果や多彩なパターン効果を示すために使用される。光透過部は、カスタマイズされたパターンやＬＯＧＯデザインにすることができる。
【００２１】
さらに、図１〜２に示すように、駆動回路ユニット４には、制御モジュールとオーディオ取得モジュールが設けられる。オーディオ取得モジュールは、スピーカーのメインボードに接続するために使用される。スピーカーの使用中、オーディオ取得モジュールは、メインボードで再生されたオーディオ情報を取得し、且つ該オーディオ情報を制御モジュールに送信するために使用される。制御モジュールは、オーディオ取得モジュールから送信されたオーディオ情報を受信し、且つ発光ユニット３がオーディオ情報のリズムに従って律動を生み出すように該オーディオ情報に応じて制御して、受動放射器２に音楽のリズムに合わせて律動する多彩な光効果を示すために使用される。
【００２２】
好ましくは、図１〜２に示すように、制御モジュールは、音楽リズムコントローラーである。駆動回路ユニット４は、スピーカー本体１の内部に設けられる。２つ以上の発光ユニット３は、対称的に設けられ、且つそれぞれ受動放射器２の光透過部に対応する。
【００２３】
なお、受動放射器２は、音楽のリズムに合わせて振幅の異なる振動を発生させることができ、スピーカーが音楽を再生すると、受動放射器２は、音楽に合わせて高速振動を発生させると同時に、発光ユニット３から放出された光は、光透過部を透過して放出し、且つ受動放射器２の高速振動の下で残像の重畳を生成し、それにより立体的な動的光効果を示す。
【００２４】
他の実施例では、駆動回路ユニット４には、制御モジュールと動作状態取得モジュールが設けられており、動作状態取得モジュールは、スピーカーのメインボードに接続するために使用され、スピーカーの使用中、動作状態取得モジュールは、メインボードの電力状態情報と動作モード状態情報を取得するために使用される。制御モジュールは、動作状態取得モジュールから送信された状態情報を受信し、且つ発光ユニット３が異なる光効果と色を生成するように該状態情報に応じて制御して、該スピーカーの対応する状態情報を示すためにさらに使用される。
【００２５】
さらに、図１〜２に示すように、発光ユニット３は、駆動回路ユニット４に接続された低電力インジケータ、電力インジケータ及び動作モードインジケータをさらに含む。低電力インジケータ、電力インジケータ及び動作モードインジケータにより生成される光効果又は色は、色付きランプビーズとは異なり、且つ低電力インジケータ、電力インジケータ及び動作モードインジケータにより生成される光効果又は色は、異なる。この実施例では、低電力インジケータ、電力インジケータ及び動作モードインジケータにより生成される光の色は、異なる。
【００２６】
この実施例の動作原理は、おおまかに次のとおりである。該スピーカーが音楽を再生するために使用される場合、駆動回路ユニット４のオーディオ取得モジュールにより、スピーカーで再生される音楽のオーディオ情報を取得し、且つ取得された情報を制御モジュールに送信し、制御モジュールは、オーディオ情報に応じて色付きランプビーズが発光するように制御することにより、色付きランプビーズは、音律に合わせて多彩な光効果を発生させることができると同時に、受動放射器２は、音楽に合わせて振幅の異なる振動を発生させることにより、受動放射器２に照射された光は、その高速振動の下で残像の重畳を生成し、立体的な動的光効果を示し、さらに、スピーカーを使用するユーザーは、聴覚だけでなく、視覚的にも楽しむことができるため、該スピーカーは、視覚効果が良く、ユーザー体験が良く、機能が多様であり、製品の体験が良く、製品の市場競争力が強いという利点がある。
【００２７】
上記は、本考案の技術的解決手段を説明するためのものに過ぎず、それを限定するものではない。本考案の技術的解決手段に対して、当業者により行われる他の修正又は同等の置換は、本考案の技術的解決手段の精神及び範囲から逸脱しない限り、すべて実用新案登録請求の範囲に属するものとする。
【符号の説明】
【００２８】
１、スピーカー本体
２、受動放射器
３、発光ユニット
４、駆動回路ユニット
【図１】
0003232888.tif 000003
【図２】
0003232888.tif 000004